【事件の表示】
　特許第２８２４０４０号「磁気テープ用ガイドローラ」の請求項１ないし９に係る特許に対する異議の申立てについて、次のとおり決定する。
【結　論】
　訂正を認める。
　特許第２８２４０４０号の請求項１ないし８に係る特許を維持する。
【理　由】
　　　　　　　　理　由
Ａ、手続きの経緯
　本件特許第２８２４０４０号発明は、平成８年１月２３日に特許出
願され、平成１０年９月４日にその特許の設定登禄がなされ、その後、浜崎俊一から特許異議の申立てがなされたことにより、当審から取消理由通知がなされ、その指定期間内である平成１１年１０月４日に訂正請求がなされたものである。
Ｂ、訂正の適否についての判断
１、訂正請求の要旨
　特許請求の範囲の減縮と不明瞭な記載の釈明を目的として以下の訂正を請求している。
（１）特許請求の範囲
　設定登録時の請求項３を削除し、それに伴い請求項４以降の項順を繰り上げると共に、設定登録時の特許請求の範囲の記載の減縮を目的として、
「【請求項１】メカニカルデッキプレート上用のガイドローラの軸孔に並行に沿って同心円状に両端面にそれぞれ同じ所要深さと幅の無端環状溝を上下左右前後対称に陥設して超高速空転による摩擦・回転振動共鳴異音を封じ込め減衰消音させる消音溝とし、当該消音溝の幅が半径長に対する割合を約0.09〜0.49倍前後間とする、
ことを特徴とする磁気テープ用ガイドローラ。
【請求項２】消音溝の深さは、
長手軸長に対する割合を約0.08〜0.49倍前後間とする、
ことを特徴とする請求項１に記載の磁気テープ用ガイドローラ。
【請求項３】消音溝は、
外周径と内周径一定並行の円筒溝である、
ことを特徴とする請求項１又は２に記載の磁気テープ用ガイドローラ。
【請求項４】消音溝は、
環状ゲート凹部に開□する、
ことを特徴とする請求項１、２又は３に記載の磁気テープ用ガイドローラ。
【請求項５】消音溝の深さは、
約lmm〜5.5mm前後間とする、
ことを特徴とする請求項２、３又は４に記載の磁気テープ用ガイドローラ。
【請求項６】消音溝の幅は、
約0.3mm〜1.7mmとする、
ことを特徴とする請求項１、２、３、４又は５に記載の磁気テープ用ガイドローラ。
【請求項７】ガイドローラは、
非磁性体素材である、
ことを特徴とする請求項１、２、３、４、５又は６に記載の磁気テープ用ガイドロ−ラ
【請求項８】非磁性体素子は、
ポリアセタール等のエンジニアリングプラスチックである、
ことを特徴とする請求項７に記載の磁気テープ用ガイドローラ。」
と訂正する。
（２）特許明細書【0011】を、減縮を目的として、
「【0011】
【課題を解決するための手段】
　前記課題の解決は、本発明が次に列挙する新規な特徴的構成手段を採用することにより前記目的を達成する。
　即ち、本発明の第1の特徴は、メカニカルデッキプレート上用のガイドローラの軸孔に並行に沿って同心円状に両端面にそれぞれ同じ所要深さと幅の無端環状溝を上下左右前後対称に陥設して超高速空転による摩擦・回転振動共鳴異音を封じ込め減衰消音させる消音溝とし、当該消音溝の幅が半径長に対する割合を約0.0 9〜0.4 9倍前後間としてなる磁気テープ用ガイドローラにある。」と訂正する。
（３）特許明細書「【0013】本発明の第３の特徴は・・・磁気テープ用ガイドローラにある。」を、不明瞭な記載の釈明を目的として削除する。
（４）特許明細書【0014】を不明瞭な記載の釈明を目的として、
「【0013】
　本発明の第３の特徴は、前記本発明の第１又は第２の特徴における消音溝が、外周径と内周径一定並行の円筒溝である磁気テープ用ガイドローラにある。」
と訂正する。
（５）特許明細書【0015】を不明瞭な記載の釈明を目的として、
「【0014】
　本発明の第４の特徴は、前記本発明の第１、第２又は第３の特徴における消音溝が、環状ゲート凹部に開□してなる磁気テープ用ガイドローラにある。」
と訂正する。
（６）特許明細書【0016】を不明瞭な記載の釈明を目的とし、
「【0015】
　本発明の第５の特徴は、前記本発明の第２、第３又は第４の特徴における消音溝の深さが、約1mm〜5.5mm前後間としてなる磁気テープ用ガイドローラにある。」
と訂正する。
（７）特許明細書【0017】を、不明瞭な記載の釈明を目的として、
「【0016】
　本発明の第6の特徴は、前記本発明の第１、第２、第３、第４又は第５の特徴における消音溝の幅が、約0.3mm〜1.7mm前後間としてなる磁気テープ用ガイドローラにある。」
と訂正する。
（８）特許明細書【0018】を、不明瞭な記載の釈明を目的として、
「【0017】
　本発明の第７の特徴は、前記本発明の第１、第２、第３、第４、第５又は第６の特徴におけるガイドローラが、非磁性体素材である磁気テープ用ガイドローラにある。」
と訂正する。
（９）特許明細書【0019】を。不明瞭な記載の釈明を目的として
「【0018】
　本発明の第８の特徴は、前記本発明の第７の特徴における非磁性体素材が、ボリアセタール等のエンジニアリングプラスチックである磁気テープ用ガイドローラにある。」
（１０）上記訂正事項（１）〜（９）に伴い、特許明細書の段落番号【0020】以降の段落番号はそれぞれ１差し引いた数値に訂正する。
２，訂正の目的の適否及び拡張・変更の存否
　上記各訂正は、特許請求の範囲の減縮ならびに不明瞭な記載の釈明に該当し、実質的に特許請求の範囲を拡張又は変更するものではない。
３，独立特許要件の判断
（１）引用例の認定
　設定登録時の請求項１、２、４〜９に係る発明に対して、当審が通知した取消理由通知で引用した引用例。
引用例１（実願平３−２４９８３号の願書に添付された明細書及び図面を撮影したマイクロフィルム（実開平４一１０３３２９号公報参照）（甲第１号証に同じ）
　引用例１の第３頁第４〜６行には、「本考案は二重輪ローラーの連結構造、特にビデオテープレコーダ等に使用されるテープガイドローラや歯車等に適用して好適な二重輪ローラの連結構造に関する。」と記載されている。
　さらに、引用例１の図４および第３頁第１１〜１３行には、外輪と内輪をそれらの軸方向略中央部分で水平方向のリブにより連結した構造のものが記載されている。
　また、前記のような肉抜きした形状とすることにより、中実のものより精度の高い製品を得ることができることが、第３頁第２４〜２６行に記載されている。
  これら記載から、引用例１には、所用深さと幅の無端環状溝を上下左右前後対称に陥設した磁気テープローラの発明が記載されているものと認める。
引用例２（実願昭６０‐１００５３８号公報の願書に添付された明細書及び図面を撮影したマイクロフィルム（実開昭６２−１１２４５号公報参照）（甲第２号証に同じ）
　第１頁第２０行〜第２頁２行には、「本考案は、ビデオデッキ等に組込まれるテープ走行案内用のテープガイドローラーに関するものである。」と記載されている。
　さらに、甲第２号証の第４図および第２頁第４〜１０行には、円筒状部７と軸受部８とを放射状のリブ９で連結してなるテープガイドローラーが記載されており、第１１〜１９行には、このようなリブを有するガイドローラーは射出成形等の成形方法で成形したのみでは精度よく形成することがむずかしいこと、テープの良好な走行にはテープガイド面が軸に対して正確な同心円筒面でなくてはならないため成形後に軸孔の内径を基準にして外面を切削加工して精度よい形状のものを得ることが記載されている。
　これら記載から、引用例２にも、所用深さと幅の無端環状溝を上下左右前後対称に陥設した磁気テープローラの発明が記載されているものと認める。
引用例３（特開平５一３４２７０７号公報）（甲第３号証に同じ）
　請求項２には、合成樹脂その他の非磁性材料により磁気テープ用ガイドローラを製造することが記載されている。また、具体例として引用例３の第２頁第２欄第１９〜２０行にポリアセタールが記載されている。
　さらに、第３頁第３欄第１１〜２３行に長さ12.57mm、外径7.0mm、内径2.0mmのガイドローラが記載されており、第２頁第１欄第３５〜４１行および図３にガイドローラの両端に成形後の収縮による歪みを抑えるために肉抜き孔を設けることが記載されている。
　これら記載から、引用例３には、磁気テープ用ガイドローラの材質としてポリアセタールを用いる発明が記載されているものと認める。
（２）対比・判断
　本件訂正請求項１に係る発明と上記引用例１に記載の発明とを対比すると、引用例１に記載の発明は、本件訂正請求項１に記載の発明の構成の内
「メカニカルデッキプレート上用のガイドローラの軸孔に並行に沿って同心円状に両端面にそれぞれ同じ所要深さと幅の無端環状溝を上下左右前後対称に陥設」した「磁気テープ用ガイドローラ」
についての記載はあるものの、
　該「無端環状溝」が「超高速空転による摩擦・回転振動共鳴異音を封じ込め減衰消音させる消音溝とし、当該消音溝の幅が半径長に対する割合を約0.09〜0.49倍前後間とする」点についての記載はない。
　また、この点はやはり甲第２・３号証にも記載はない。
　そして本件発明は、この構成により、訂正請求書の
「【００２６】磁気テープの巻き戻し及び早送り動作に際して従来発生した耳障りな共鳴異音を減衰制御し得る」
という顕著な効果を奏するものである。
　この構成の点は、設定登録時の請求項３に相当し、この設定登録時の請求項３に対して、特許異議申立人は、「溝の幅及び溝の深さをどのような割合にするかは、ガイドローラ成型品に要求される強度、許容される成形後の歪み等に応じて当業者が適宜設定し得る事項にすぎない。」と述べているが、本件発明は、高速回転時の異音の低減を解決すべき課題としたものであって、請求人が述べる成形後の歪みの軽減を解決すべき課題としたものでないので、請求人が主張するように溝の幅の割合については、設計事項とすることはできない。
　したがって、本件の訂正請求された請求項１に係る発明は、上記引用例１〜３に記載された発明であるとも、各引用例記載のものから当業者が容易に発明をすることができたものともいえない。
　同様に、訂正請求された請求項２〜８についても、訂正請求された請求項１を引用しているので、訂正請求された請求項１に特許を取り消すべき理由がない以上、引用例１〜３に記載された発明であるとも、各引用例記載のものから当業者が容易に発明をすることができたものともいえない。
（３）まとめ
　したがって、上記訂正明細書の請求項１〜８に記載される発明は特許出願の際独立して特許を受けることができない発明とすることはできない。
４，むすび
　以上の通りであるから、上記訂正請求は、特許法第１２０条の４第２項及び同条第３項で準用する第１２６条第２ー４項の規定に適合するので、当該訂正を認める。
Ｃ、特許異議の申立てについての判断
１、申立ての理由の概要
　申立人は、設定登録時の請求項１〜９（訂正請求１〜８に対応）に係る発明は、甲第１号証（上記Ａ２（３）１，で認定した引用例１に同じ）、甲第２号証（上Ａ２（３）１，で認定した上記引用例２に同じ）上記甲第３号証（上Ａ２（３）１，で認定した上記引用例３に同じ）をもとに、当業者が容易に発明をすることができたものであり、特許法第２９条第２項の規定により、特許を受けることができないものであるから、特許を取り消すべきものと主張している。
　特に、設定登録時の請求項３（訂正請求では、訂正請求項１に組み込まれた）の「当該消音溝の幅が半径長に対する割合を約0.09〜0.49倍前後間とする」の構成について、特許異議申立書の第８頁第２〜４行において「溝の幅及び溝の深さをどのような割合にするかは、ガイドローラ成型品に要求される強度、許容される成形後の歪み等に応じて当業者が適宜設定し得る事項にすぎない」と主張をしている。
２、当審の判断
　設定登録時の特許請求の範囲１〜９項は、訂正請求により請求項１〜８に訂正（上記「２、訂正の適否についての判断」参照）された。
　訂正請求項１の発明は、上記「２、訂正の適否についての判断」で詳述したとおり、「当該消音溝の幅が半径長に対する割合を約0.09〜0.49倍前後間とする」の構成をとることにより、訂正明細書【0026】に記載される「磁気テープの巻き戻し及び早送り動作に際して従来発生した耳障りな共鳴異音を減衰制御し得る」という顕著な効果を奏するものである。
　この点について、請求人は、特許異議申立書の第８頁第２〜４行において「溝の幅及び溝の深さをどのような割合にするかは、ガイドローラ成型品に要求される強度、許容される成形後の歪み等に応じて当業者が適宜設定し得る事項にすぎない」と主張をしているが、異議申立人が提示した甲１〜３号証には、訂正請求項１の該構成と効果について何ら記載が無く、甲各号証に記載された発明と同一であるとも、それらから容易に発明をすることができたものとすることもできない。
　また、他に訂正請求項１に係る特許発明を取り消すべき理由を発見しない。
　そして、訂正請求項１を引用する訂正請求項２〜８についても、訂正請求された請求項１に特許を取り消すべき理由がない以上、同様に取り消すべき理由は発見できない。
３，まとめ
  以上の通り、特許異議申立に理由があるとすることはできない。
Ｄ、むすび、
　よって、結論のとおり決定する。
【異議決定日】
平成１２年３月９日（２０００．３．９）
【訂正の要旨】
　訂正の要旨
▲１▼　訂正事項ａ
　特許請求の範囲の減縮を目的として、
「【請求項１】メカニカルデッキプレート上用のガイドローラの軸孔に並行に沿って同心円状に両端面にそれぞれ同じ所要深さと幅の無端環状溝を上下左右前後対称に陥設して超高速空転による摩擦・回転振動共鳴異音を封じ込め減衰消音させる消音溝とし、当該消音溝の幅が半径長に対する割合を約０．０９〜０．４９倍前後間とする、
ことを特徴とする磁気テープ用ガイドローラ。
　【請求項２】消音溝の深さは、
長手軸長に対する割合を約０．０８〜０．４９倍前後間とする、
ことを特徴とする請求項１に記載の磁気テープ用ガイドローラ。
　【請求項３】消音溝は、
外周径と内周径一定並行の円筒溝である、
ことを特徴とする請求項１又は２に記載の磁気テープ用ガイドローラ。
　【請求項４】消音溝は、
環状ゲート凹部に開□する、
ことを特徴とする請求項１、２又は３に記載の磁気テープ用ガイドローラ。
　【請求項５】消音溝の深さは、
約１ｍｍ〜５．５ｍｍ前後間とする、
ことを特徴とする請求項２、３又は４に記載の磁気テープ用ガイドローラ。
　【請求項６】消音溝の幅は、
約０．３ｍｍ〜１．７ｍｍとする、
ことを特徴とする請求項１、２、３、４又は５に記載の磁気テープ用ガイドローラ。
　【請求項７】ガイドローラは、
非磁性体素材である、
ことを特徴とする請求項１、２、３、４、５又は６に記載の磁気テープ用ガイドローラ
　【請求項８】非磁性体素子は、
ポリアセタール等のエンジニアリングプラスチックである、
ことを特徴とする請求項７に記載の磁気テープ用ガイドローラ。」
と訂正する。
▲２▼特許明細書【００１１】を、減縮を目的として、
「【００１１】
　【課題を解決するための手段】
　前記課題の解決は、本発明が次に列挙する新規な特徴的構成手段を採用することにより前記目的を達成する。
　即ち、本発明の第１の特徴は、メカニカルデッキプレート上用のガイドローラの軸孔に並行に沿って同心円状に両端面にそれぞれ同じ所要深さと幅の無端環状溝を上下左右前後対称に陥設して超高速空転による摩擦・回転振動共鳴異音を封じ込め減衰消音させる消音溝とし、当該消音溝の幅が半径長に対する割合を約０．０９〜０．４９倍前後間としてなる磁気テープ用ガイドローラにある。」
と訂正する。
▲３▼特許明細書「【００１３】本発明の第３の特徴は・・・磁気テープ用ガイドローラにある。」を、不明瞭な記載の釈明を目的として削除する。
▲４▼特許明細書【００１４】を不明瞭な記載の釈明を目的として、
「【００１３】
　本発明の第３の特徴は、前記本発明の第１又は第２の特徴における消音溝が、外周径と内周径一定並行の円筒溝である磁気テープ用ガイドローラにある。」
と訂正する。
▲５▼特許明細書【００１５】を不明瞭な記載の釈明を目的として、
「【００１４】
　本発明の第４の特徴は、前記本発明の第１、第２又は第３の特徴における消音溝が、環状ゲート凹部に開□してなる磁気テープ用ガイドローラにある。」
と訂正する。
▲６▼特許明細書【００１６】を不明瞭な記載の釈明を目的とし、
「【００１５】
　本発明の第５の特徴は、前記本発明の第２、第３又は第４の特徴における消音溝の深さが、約１ｍｍ〜５．５ｍｍ前後間としてなる磁気テープ用ガイドローラにある。」
と訂正する。
▲７▼特許明細書【００１７】を、不明瞭な記載の釈明を目的として、
「【００１６】
　本発明の第６の特徴は、前記本発明の第１、第２、第３、第４又は第５の特徴における消音溝の幅が、約０．３ｍｍ〜１．７ｍｍ前後間としてなる磁気テープ用ガイドローラにある。」
と訂正する。
▲８▼特許明細書【００１８】を、不明瞭な記載の釈明を目的として、
「【００１７】
　本発明の第７の特徴は、前記本発明の第１、第２、第３、第４、第５又は第６の特徴におけるガイドローラが、非磁性体素材である磁気テープ用ガイドローラにある。」
と訂正する。
▲９▼特許明細書【００１９】を。不明瞭な記載の釈明を目的として
「【００１８】
　本発明の第８の特徴は、前記本発明の第７の特徴における非磁性体素材が、ボリアセタール等のエンジニアリングプラスチックである磁気テープ用ガイドローラにある。」
▲１０▼上記訂正事項▲１▼〜▲９▼に伴い、特許明細書の段落番号【００２０】以降の段落番号はそれぞれ１差し引いた数値に訂正する。
（５４）【発明の名称】
磁気テープ用ガイドローラ
（５７）【特許請求の範囲】
　【請求項１】メカニカルデッキプレート上用のガイドローラの軸孔に並行に沿って同心円状に両端面にそれぞれ同じ所要深さと幅の無端環状溝を上下左右前後対称に陥設して超高速空転による摩擦・回転振動共鳴異音を封じ込め減衰消音させる消音溝とし、当該消音溝の幅が半径長に対する割合を約０．０９〜０．４９倍前後間とする、
　ことを特徴とする磁気テープ用ガイドローラ。
　【請求項２】消音溝の深さは、
　長手軸長に対する割合を約０．０８〜０．４９倍前後間とする、
　ことを特徴とする請求項１に記載の磁気テープ用ガイドローラ。
　【請求項３】消音溝は、
　外周径と内周径一定並行の円筒溝である、
　ことを特徴とする請求項１又は２に記載の磁気テープ用ガイドローラ。
　【請求項４】消音溝は、
　環状ゲート凹部に開口する、
　ことを特徴とする請求項１、２又は３に記載の磁気テープ用ガイドローラ。
　【請求項５】消音溝の深さは、
　約１ｍｍ〜５．５ｍｍ前後間とする、
　ことを特徴とする請求項２、３又は４に記載の磁気テープ用ガイドローラ。
　【請求項６】消音溝の幅は、
　約０．３ｍｍ〜１．７ｍｍとする、
　ことを特徴とする請求項１、２、３、４又は５に記載の磁気テープ用ガイドローラ。
　【請求項７】ガイドローラは、
　非磁性体素材である、
　ことを特徴とする請求項１、２、３、４、５又は６に記載の磁気テープ用ガイドローラ。
　【請求項８】非磁性体素材は、
　ポリアセタール等のエンジニアリングプラスチックである、
　ことを特徴とする請求項７に記載の磁気テープ用ガイドローラ。
【発明の詳細な説明】
　　　【０００１】
　【発明の属する技術分野】
　本発明は、ＶＴＲやテープレコーダー等の磁気記録再生装置に供される磁気テープ用ガイドローラに関する。
　　　【０００２】
　【従来の技術】
　磁気記録再生装置のメカニカルデッキαは、ビデオテープカセットβを装填した場合には、図３に示す平面図の状態となる。
　即ち、再生時ビデオテープカセットβの左リールａから繰り出されたビデオテープｂは途中ピンチロールｃ、左テープローラガイドｄ、シリンダヘッドｅ、右テープローラガイドｆ、ヘッドｇ、ピンチロールｈ、を経て右リールｉに巻き取られる構成である。
　　　【０００３】
　左右ローラガイドｄ，ｆは、図４に示すようガイドローラＡの軸孔Ａａに貫通したローラ軸ｊの貫通上端及び中間部にガイドローラＡを摺動自在に挟み込むようにヘッドフランジｋとベースフランジｌを打込み貫通するとともに螺筒ｍをも中間部に打込み貫通して形成する。
　図中Ａｂ１、Ａｂ２は射出用環状ゲート凹部である。
　　　【０００４】
　左右テープローラガイドｄ，ｆは、図５に示すようメカニカルデッキプレートα１に固着した支持アームｎに一体成形した合成樹脂製ロックポストｏ上口の雌螺子部ｏ１及び内嵌したピースリングｐにローラ軸ｊを一貫するとともに雌螺子部ｏ１に螺筒ｍを高さ調整して螺子込み、ロックネジｑにてローラ軸ｊを保持固定する。
　　　【０００５】
　そして、頭出し設定のため、ビデオテープｂの巻戻し及び早送りに当っては、シリンダヘッドｅの回転速度は、従来４，０００〜５，０００ｒｐｍであったところ、現在では更なる待ち時間短縮のため、７，０００〜１０，０００ｒｐｍの超高速回転が実現されている。
　　　【０００６】
　【発明が解決しようとする課題】
　しかして、この巻戻し及び早送りの動作に伴うビデオテープｂの超高速走行は左右両ガイドローラＡの超高速空転とともにテープｂとローラＡの摩擦音や回転振動音その他が共鳴して“ビー”とか“ギュルギュル”とか“ジー”とか言う所謂大きな雑音たる異音を起生し、特に巻戻しや早送りの最終段階において顕著となり、聞くに耐えず、当該異音の解消改善が要請された。
　　　【０００７】
　ここにおいて、本発明の解決すべき主要な目的は、次の通りである。
　即ち、本発明の第１の目的は、磁気記録再生装置における巻戻し及び早送りに際してガイドローラが生ずる共鳴異音を解消し得る磁気テープ用ガイドローラを提供せんとするものである。
　　　【０００８】
　本発明の第２の目的は、ローラ自体の構造に消音機能を持たせた磁気テープ用ガイドローラを提供せんとするものである。
　　　【０００９】
　本発明の第３の目的は、消音溝を形成する磁気テープ用ガイドローラを提供せんとするものである。
　　　【００１０】
　本発明の他の目的は、明細書、図面、特に特許請求の範囲の各請求項の記載から自ずと明かとなろう。
　　　【００１１】
　【課題を解決するための手段】
　前記課題の解決は、本発明が次に列挙する新規な特徴的構成手段を採用することにより前記目的を達成する。
　即ち、本発明の第１の特徴は、メカニカルデッキプレート上用のガイドローラの軸孔に並行に沿って同心円状に両端面にそれぞれ同じ所要深さと幅の無端環状溝を上下左右前後対称に陥設して超高速空転による摩擦・回転振動共鳴異音を封じ込め減衰消音させる消音溝とし、当該消音溝の幅が半径長に対する割合を約０．０９〜０．４９倍前後間としてなる磁気テープ用ガイドローラにある。
　　　【００１２】
　本発明の第２の特徴は、前記本発明の第１の特徴における消音溝の深さが、長手軸長に対する割合を約０．０８〜０．４９倍前後間としてなる磁気テープ用ガイドローラにある。
　　　【００１３】
　本発明の第３の特徴は、前記本発明の第１又は第２の特徴における消音溝が、外周径と内周径一定並行の円筒溝である磁気テープ用ガイドローラにある。
　　　【００１４】
　本発明の第４の特徴は、前記本発明の第１、第２又は第３の特徴における消音溝が、環状ゲート凹部に開口してなる磁気テープ用ガイドローラにある。
　　　【００１５】
　本発明の第５の特徴は、前記本発明の第２、第３又は第４の特徴における消音溝の深さが、約１ｍｍ〜５．５ｍｍ前後間としてなる磁気テープ用ガイドローラにある。
　　　【００１６】
　本発明の第６の特徴は、前記本発明の第１、第２、第３、第４又は第５の特徴における消音溝の幅が、約０．３ｍｍ〜１．７ｍｍ前後間としてなる磁気テープ用ガイドローラにある。
　　　【００１７】
　本発明の第７の特徴は、前記本発明の第１、第２、第３、第４、第５又は第６の特徴におけるガイドローラが、非磁性体素材である磁気テープ用ガイドローラにある。
　　　【００１８】
　本発明の第８の特徴は、前記本発明の第７の特徴における非磁性体素材が、ポリアセタール等のエンジニアリングプラスチックである磁気テープ用ガイドローラにある。
　　　【００１９】
　【発明の実施の形態】
　本発明の実施形態を図面について説明する。
　図１は、本実施形態の平面図、図２は図１中ＩＩ−ＩＩ線視中央縦断図である。
　　　【００２０】
　図中、Ａ´は本実施形態のガイドローラ、１は射出用ゲート、２ａ，２ｂは環状ゲート凹部、３，４は消音溝、３ａ，４ａは開口、３ｂ，４ｂは内周面、３ｃ，４ｃは外周面、３ｄ，４ｄは溝底、５は軸孔、６は軸受部、７は放射リブ、８は面取りである。
　　　【００２１】
　ガイドローラＡ´は、非磁性体素材としてのポリアセタール等のエンジニアリングプラスチック製で、金型により射出用ゲート１群位置に射出して一体成形し、内外表面を精密切削して仕上げる。
　　　【００２２】
　消音溝３，４は、軸孔５に並行に沿って同心円状に囲繞して環状ゲート凹部２ａ，２ｂに開口３ａ，４ａするとともに、巻戻しや早送り時発生する共鳴異音を内部に封じ込め取り込んで内外周面３ｂ，４ｂ，３ｃ，４ｃに相互に亙り規則的に繰り返して跳ね返り（振動）急速な減衰機能を持たせるため、しかも減衰途上音が外部に放出されないよう一定幅の垂直並行円筒溝に形成する。これは内外周面３ｂ，４ｂ，３ｃ，４ｃが歪んだり、曲ったりしていると共鳴異音の跳ね返りが不規則となり唸りを生じたり、外部に漏出したりして減衰効果が劣るためである。
　　　【００２３】
　実験の結果、減衰機能に関し、消音溝３，４の深さＨ、幅Ｄ、長手軸長Ｌと半径長Ｒに対する割合の有効的範囲が次の通り確認された。
　しかも、消音溝３，４はガイドローラＡ´の上半部と下半部に回転バランス上それぞれ上下対称状に配設することも共鳴異音振動の吸収減衰には有効であることが確認された。
　　　【００２４】
　　但し、ローラ長手軸長Ｌ＝１２．５７±０．０３ｍｍ
　　　　　ローラ直径２Ｒ＝φ７±０．０５ｍｍ
　　　　　消音溝３，４深さＨ≒１〜５．５ｍｍ
　　　　　消音溝３，４幅Ｄ≒０．３〜１．７ｍｍ
　　以上の寸法条件から、
　　　　　Ｈ／Ｌ≒０．０８〜０．４９
　　　　　Ｄ／Ｒ≒０．０９〜０．４９
　実験を通し、このような最小倍率以下であれば共鳴異音の減衰作用は生ぜず、また、最大倍率以上であればかえって共振を増巾助長することが判明した。
　　　【００２５】
　［実施例］
　本発明の具体的実施態様における好適例の寸法条件の仕様を説明する。
　ローラＡ´長手軸長Ｌ＝１２．５７ｍｍ
　ローラＡ´直径２Ｒ＝φ７ｍｍ
　消音溝３，４深さＨ＝４ｍｍ
　消音溝３，４幅Ｄ＝０．７５ｍｍ
　環状ゲート凹部２ａ，２ｂ深さ＝０．６ｍｍ
　環状ゲート凹部２ａ，２ｂ外径＝φ６ｍｍ
　軸孔直径＝φ２ｍｍ
　放射リブ７厚み＝１ｍｍ
　消音溝３，４内周面３ｂ，４ｂ半径＝φ１．５ｍｍ
　消音溝３，４外周面３ｃ，４ｃ半径＝φ２．２５ｍｍ
　以上の寸法条件仕様において巻戻し及び早送りに際し発生する共鳴異音を完全に減衰消音を達成し得た。
　　　【００２６】
　【発明の効果】
　かくして、本発明によれば、磁気テープの巻戻し及び早送り動作に際して従来発生した耳障りな共鳴異音を減衰消音制御し得るとともに待機時間を短縮し得て、しかもガイドローラの超高速回転に伴うローラ軸や磁気テープとの摩擦蓄熱を放冷する機能をも消音溝は有する等優れた効果を奏する。
【図面の簡単な説明】
　【図１】
　本発明の実施形態例を示す平面図である。
　【図２】
　図１中ＩＩ−ＩＩ線視中央縦断面図である。
　【図３】
　ビデオテープカセット装填時のメカニカルデッキの平面図である。
　【図４】
　従来のローラガイドの中央縦断面図である。
　【図５】
　同上のローラガイドの取付使用状態を示す一部破断拡大図である。
　【符号の説明】
Ａ，Ａ´…ガイドローラ
Ａｂ１，Ａｂ２…射出用環状ゲート凹部
α…メカニカルデッキ
α１…メカニカルデッキプレート
β…ビデオテープカセット
ａ…左リール
ｂ…ビデオテープ
ｃ，ｈ…ピンチロール
ｄ…左テープローラガイド
ｅ…シリンダヘッド
ｆ…右テープローラガイド
ｇ…ヘッド
ｉ…右リール
ｊ…ローラ軸
ｋ…ヘッドフランジ
ｌ…ベースフランジ
ｍ…螺筒
ｎ…支持アーム
ｏ…ロックポスト
ｏ１…雌螺子部
ｐ…ピースリング
ｑ…ロックネジ
１…射出用ゲート
２ａ，２ｂ…環状ゲート凹部
３，４…消音溝
３ａ，４ａ…開口
３ｂ，４ｂ…内周面
３ｃ，４ｃ…外周面
３ｄ，４ｄ…溝底
５…軸孔
６…軸受部
７…放射リブ
８…面取り